(57)【特許請求の範囲】
【請求項１】
屋内位置情報送信機から送信される屋内位置情報を受信し、受信した屋内位置情報を自己の位置情報として送信する携帯端末から送信された前記携帯端末の位置情報を受信し、前記携帯端末の位置情報を送信する無線ＬＡＮ端末アクセスポイント装置と、
屋内位置情報送信機から送信された屋内位置情報を受信し、当該屋内位置情報と自己の位置情報とを送信する固定端末と、
屋内位置情報送信機が正しい位置に取り付けられた場合における、屋内位置情報送信機の屋内位置情報と固定端末の位置情報との各々の組み合わせを示す位置対応テーブルが記憶された記憶部と、前記無線ＬＡＮ端末アクセスポイント装置からの前記携帯端末の位置情報、前記固定端末からの前記屋内位置情報送信機の屋内位置情報及び前記固定端末の位置情報を受信する受信部と、前記記憶部に記憶された位置対応テーブルの中に、前記受信部で受信された前記屋内位置情報送信機の屋内位置情報及び前記固定端末の位置情報の組み合わせがある場合に、前記無線ＬＡＮ端末アクセスポイント装置から送信され前記受信部により受信された前記携帯端末の位置情報を認証する認証部と、を有する位置認証サーバと、
を備えたことを特徴とする位置認証システム。
【請求項２】
前記認証部は、前記組み合わせがある場合に、前記固定端末が前記屋内位置情報を受信したタイミングを表す第１の情報と、前記無線ＬＡＮ端末アクセスポイント装置が前記携帯端末の位置情報を受信したタイミングを表す前記第１の情報とは異なるタイミングを表す第２の情報と、を更に用いて、前記第２の情報と前記第１の情報との差分が予め設定された許容時間の範囲内にあれば前記携帯端末の位置情報を認証することを特徴とする請求項１記載の位置認証システム。
【請求項３】
無線ＬＡＮ端末アクセスポイント装置が、屋内位置情報送信機から送信される屋内位置情報を受信し、受信した屋内位置情報を自己の位置情報として送信する携帯端末から送信された前記携帯端末の位置情報を受信して前記携帯端末の位置情報を送信し、
固定端末が、屋内位置情報送信機から送信された屋内位置情報を受信して当該屋内位置情報と自己の位置情報とを送信し、
位置認証サーバの受信部が、前記無線ＬＡＮ端末アクセスポイント装置からの前記携帯端末の位置情報、前記固定端末からの前記屋内位置情報送信機の屋内位置情報及び前記固定端末の位置情報を受信し、
前記位置認証サーバの認証部が、屋内位置情報送信機が正しい位置に取り付けられた場合における、屋内位置情報送信機の屋内位置情報と固定端末の位置情報との各々の組み合わせを示す位置対応テーブルの中に、前記受信部で受信された前記屋内位置情報送信機の屋内位置情報及び前記固定端末の位置情報の組み合わせがある場合に、前記無線ＬＡＮ端末アクセスポイント装置から送信され前記受信部により受信された前記携帯端末の位置情報を認証する
ことを特徴とする位置認証方法。
【発明の詳細な説明】
【技術分野】
【０００１】
本発明は、位置認証システム及び方法に関する。
【背景技術】
【０００２】
従来、携帯端末の位置情報を認証する技術として、自己の位置保証を依頼する依頼端末と、依頼端末の周辺にあって位置情報を送信する測位端末と、依頼端末の位置の正当性をチェックして位置保証を行うセンタと、を有する位置保証システムが開示されている（特許文献１を参照）。
【０００３】
特許文献１では、センタは、依頼端末から送信された依頼位置情報によって示される位置が測位端末からの情報に基づく所定の通信領域内にあるかをチェックし、通信領域内にある場合は依頼端末の依頼位置情報は正しいと判断し、通信領域内にない場合は依頼位置情報が不正なものと判断する。
【先行技術文献】
【特許文献】
【０００４】
【特許文献１】特開２００７−１５０７３０号公報
【発明の概要】
【発明が解決しようとする課題】
【０００５】
特許文献１では、依頼端末及び測位端末は、携帯電話等の携帯端末を想定している。携帯端末は、屋外では衛星からの位置情報を受信するが、屋内では屋内ＧＰＳ送信機からの位置情報を受信する。
【０００６】
ところが、屋内ＧＰＳ送信機が本来設置される位置とは異なる位置に設置された場合、携帯端末は正しい位置情報を得ることができない。このため、特許文献１の技術では、依頼端末及び測位端末は正しい位置情報をセンタに送信することができず、依頼端末の位置を保証できない問題がある。
【０００７】
また、屋内ＧＰＳ送信機は、小型である場合が多く、通信線を必要としないため、比較的自由に取り付け及び取り外しができる。屋内ＧＰＳ送信機が持ち込まれ、本来の位置とは誤った位置に設置されたり、意図的に本来の位置から移動されたりすると、携帯端末は、正しい位置情報を得ることができない。しかし、屋内ＧＰＳ送信機が誤った位置情報を送信する可能性がある場合でも、携帯端末の位置情報に応じたサービスを提供する場合には、携帯端末の正確な位置情報が必要になる。
【０００８】
本発明は、このような実情を鑑みて提案されたものであり、携帯端末の位置情報の信頼性を向上させることができる位置認証システム及び方法を提供することを目的とする。
【課題を解決するための手段】
【０００９】
本発明に係る位置認証システムは、屋内位置情報送信機から送信される屋内位置情報を受信し、受信した屋内位置情報を自己の位置情報として送信する携帯端末から送信された前記携帯端末の位置情報を受信し、前記携帯端末の位置情報を送信する無線ＬＡＮ端末アクセスポイント装置と、屋内位置情報送信機から送信された屋内位置情報を受信し、当該屋内位置情報と自己の位置情報とを送信する固定端末と、屋内位置情報送信機が正しい位置に取り付けられた場合における、屋内位置情報送信機の屋内位置情報と固定端末の位置情報との各々の組み合わせを示す位置対応テーブルが記憶された記憶部と、前記無線ＬＡＮ端末アクセスポイント装置からの前記携帯端末の位置情報、前記固定端末からの前記屋内位置情報送信機の屋内位置情報及び前記固定端末の位置情報を受信する受信部と、前記記憶部に記憶された位置対応テーブルの中に、前記受信部で受信された前記屋内位置情報送信機の屋内位置情報及び前記固定端末の位置情報の組み合わせがある場合に、前記無線ＬＡＮ端末アクセスポイント装置から送信され前記受信部により受信された前記携帯端末の位置情報を認証する認証部と、を有する位置認証サーバと、を備えたことを特徴とする。
【００１０】
前記認証部は、前記組み合わせがある場合に、前記固定端末が前記屋内位置情報を受信したタイミングを表す第１の情報と、前記無線ＬＡＮ端末アクセスポイント装置が前記携帯端末の位置情報を受信したタイミングを表す前記第１の情報とは異なるタイミングを表す第２の情報と、を更に用いて、前記第２の情報と前記第１の情報との差分が予め設定された許容時間の範囲内にあれば前記携帯端末の位置情報を認証することを特徴とする。
【００１１】
本発明に係る位置認証方法は、無線ＬＡＮ端末アクセスポイント装置が、屋内位置情報送信機から送信される屋内位置情報を受信し、受信した屋内位置情報を自己の位置情報として送信する携帯端末から送信された前記携帯端末の位置情報を受信して前記携帯端末の位置情報を送信し、固定端末が、屋内位置情報送信機から送信された屋内位置情報を受信して当該屋内位置情報と自己の位置情報とを送信し、位置認証サーバの受信部が、前記無線ＬＡＮ端末アクセスポイント装置からの前記携帯端末の位置情報、前記固定端末からの前記屋内位置情報送信機の屋内位置情報及び前記固定端末の位置情報を受信し、前記位置認証サーバの認証部が、屋内位置情報送信機が正しい位置に取り付けられた場合における、屋内位置情報送信機の屋内位置情報と固定端末の位置情報との各々の組み合わせを示す位置対応テーブルの中に、前記受信部で受信された前記屋内位置情報送信機の屋内位置情報及び前記固定端末の位置情報の組み合わせがある場合に、前記無線ＬＡＮ端末アクセスポイント装置から送信され前記受信部により受信された前記携帯端末の位置情報を認証することを特徴とする。
【発明の効果】
【００１２】
本発明によれば、携帯端末の位置情報の信頼性を向上させることができる。
【図面の簡単な説明】
【００１３】
【図１】本発明の第１実施形態に係る位置認証システムの構成を示す図である。
【図２】位置認証サーバの構成を示すブロック図である。
【図３】位置対応テーブルを示す図である。
【図４】第１実施形態の位置認証ルーチンを示すフローチャートである。
【図５】第２実施形態に係る位置認証システムの構成を示す図である。
【図６】位置対応テーブルを示す図である。
【図７】第２実施形態の位置認証ルーチンを示すフローチャートである。
【図８】第３実施形態の位置認証ルーチンを示すフローチャートである。
【図９】屋内ＧＰＳ送信機が送信する暗号情報を示す図である。
【発明を実施するための形態】
【００１４】
以下、本発明の実施形態について説明する。
［第１実施形態］
図１は、本発明の第１実施形態に係る位置認証システム１の構成を示す図である。位置認証システム１は、携帯端末１１との間で無線ＬＡＮ通信を行う無線ＬＡＮアクセスポイント装置１０と、建物に固定された固定端末２０と、携帯端末１１の位置情報を認証する位置認証サーバ３０と、を備える。
【００１５】
無線ＬＡＮアクセスポイント装置１０は、携帯端末１１と無線ＬＡＮ通信を行い、携帯端末１１から送信された位置情報を位置認証サーバ３０へ送信し、又は位置認証サーバ３０からの情報を携帯端末１１へ送信する。
【００１６】
携帯端末１１は、例えば、いわゆるスマートフォン、携帯型電話機（携帯電話）、ＰＤＡ（Ｐｅｒｓｏｎａｌ  Ｄｉｇｉｔａｌ  Ａｓｓｉｓｔａｎｔ）などの移動可能な端末が該当する。携帯端末１１は、屋内ＧＰＳ情報送信機１２から送信される屋内位置情報を受信し、受信した屋内位置情報を自己の位置情報として無線ＬＡＮアクセスポイント装置１０へ送信する。
【００１７】
屋内ＧＰＳ送信機１２は、ＩＭＥＳ（Ｉｎｄｏｏｒ  ＭＥｓｓａｇｅｉｎｇ  Ｓｙｓｔｅｍ）方式に対応したものであり、ＧＰＳ信号の互換信号である屋内位置情報を送信する。つまり、屋内ＧＰＳ送信機１２は、ＧＰＳ信号と同じデータ構造であって同じ周波数帯の屋内位置情報を一定間隔（例えば１秒間毎）で送信する。このため、携帯端末１１は、屋外では衛星から送信されるＧＰＳ信号を受信し、屋内では屋内ＧＰＳ送信機１２から送信される屋内位置情報を受信する。
【００１８】
屋内位置情報は、屋内ＧＰＳ送信機１２が取り付けられる位置に対応しており、予め屋内ＧＰＳ送信機１２に設定される。しかし、屋内ＧＰＳ送信機１２は本来取り付けられる位置と異なる位置に取り付けられる可能性があるため、屋内位置情報は、屋内ＧＰＳ送信機１２の正確な位置を示していない可能性がある。そこで、詳しくは後述するように、位置認証サーバ３０が屋内位置情報（携帯端末１１の位置情報）の認証処理を行う。
【００１９】
固定端末２０は、屋内の構造体（建物など）の所定位置に固定され、第三者によって安易に固定位置が変えられないようになっている。固定端末２０は、自身に割り当てられた、上記所定位置を示す位置情報を予め記憶している。固定端末２０は、屋内ＧＰＳ送信機１２から送信された屋内位置情報を受信すると、受信した屋内位置情報と自身の位置情報とを位置認証サーバ３０に送信する。
【００２０】
なお、固定端末２０は所定位置に固定されているため、固定端末２０が移動しながら外部と通信することが防止され、固定端末２０自身の位置情報は非常に信頼性が高い。この信頼性を更に向上させるために、固定端末２０に耐タンパ性をもたせてもよい。すなわち、固定端末２０は、所定位置から取り外された場合は、自身の位置情報が送信不可能になる構成でもよい。
【００２１】
図２は、位置認証サーバ３０の構成を示すブロック図である。
位置認証サーバ３０は、無線ＬＡＮアクセスポイント装置１０や固定端末２０との間でデータの送受信を行う送受信部３１と、受信又は読み出されたデータのワークエリアであるメモリ３２と、位置対応テーブルが記憶されているデータ記憶部３３と、携帯端末１１の位置情報を認証する認証部３４と、を備える。
【００２２】
認証部３４は、固定端末２０からの情報（固定端末２０自身の位置情報、屋内ＧＰＳ送信機１２の屋内位置情報）を送受信部３１で受信すると、データ記憶部３３に予め記憶されている位置対応テーブルを参照して、携帯端末１１の位置情報の認証処理を行う。
【００２３】
図３は、データ記憶部３３に記憶された位置対応テーブルを示す図である。
位置対応テーブルは、屋内ＧＰＳ送信機１２が本来の正しい位置に取り付けられている場合における、屋内ＧＰＳ送信機１２の屋内位置情報、固定端末２０の位置情報、及びサービス情報のそれぞれの組み合わせを示している。
【００２４】
屋内ＧＰＳ送信機１２が本来の正しい位置に取り付けられている場合、その位置近傍に取り付けられた特定の固定端末２０が屋内ＧＰＳ送信機１２の屋内位置情報を受信する。位置対応テーブルは、この場合における屋内ＧＰＳ送信機１２の屋内位置情報と、上記特定の固定端末２０の位置情報との組み合わせを示している。よって、固定端末２０から位置認証サーバ３０へ送信される情報（屋内ＧＰＳ送信機１２の位置情報、固定端末２０の位置情報の組み合わせ）が位置対応テーブルにあれば、屋内ＧＰＳ送信機１２の屋内位置情報は正しいことが分かる。
【００２５】
サービス情報は、携帯端末１１の位置情報（屋内ＧＰＳ送信機１２の屋内位置情報）が正しいと認証された場合に、携帯端末１１へ送信される情報である。サービス情報は、携帯端末１１の位置情報の示す場所においてユーザに役立つ情報であればよく、例えば、その場所の近くの店舗のクーポン券、お買い得情報などが該当する。
【００２６】
以上のように構成された位置認証システム１において、位置認証サーバ３０の認証部３４は、携帯端末１１の位置情報を認証するため、次の位置認証処理ルーチンを実行する。
【００２７】
図４は、第１実施形態の位置認証ルーチンを示すフローチャートである。
位置認証サーバ３０の認証部３４は、無線ＬＡＮアクセスポイント装置１０、送受信部３１を介して、携帯端末１１の位置情報を受信する。さらに、認証部３４は、携帯端末１１の位置情報に対応する情報として、固定端末２０から、送受信部３１を介して、固定端末２０の位置情報及び屋内ＧＰＳ送信機１２の屋内位置情報を受信する（ステップＳ１）。ここでは、携帯端末１１の位置情報と、屋内ＧＰＳ送信機１２の屋内位置情報とは、受信経路は異なるものの同じ情報である。
【００２８】
次に、認証部３４は、データ記憶部３３に記憶された位置対応テーブルを参照して（ステップＳ２）、受信された固定端末２０の位置情報及び屋内ＧＰＳ送信機１２の屋内位置情報の組み合わせが、位置対応テーブルの組み合わせのいずれか１つと一致するか否かを判定する（ステップＳ３）。
【００２９】
認証部３４は、組み合わせが一致する場合は、ステップＳ１で受信された携帯端末１１の位置情報は正しいと認証し（ステップＳ４）、携帯端末１１の位置情報（屋内ＧＰＳ送信機１２の屋内位置情報）に対応づけられたサービス情報を読み出して、携帯端末１１へ送信する。これにより、携帯端末１１のユーザは、現在地に関連性の高いサービス情報を受け取ることができる。
【００３０】
一方、認証部３４は、組み合わせが一致しない場合は携帯端末１１の位置情報を認証せず（ステップＳ５）、本ルーチンが終了する。
【００３１】
以上のように、位置認証システム１は、屋内ＧＰＳ送信機１２が正しい位置に取り付けられた場合に受信される、固定端末２０の位置情報と屋内ＧＰＳ送信機１２の屋内位置情報の組み合わせを予め記憶している。これにより、位置認証システム１は、屋内ＧＰＳ送信機１２から送信される屋内位置情報の信頼性に疑問がある場合でも、受信された情報の組み合わせと予め記憶している組み合わせとを比較することで、屋内ＧＰＳ送信機１２の屋内位置情報、つまり、携帯端末１１の位置情報を認証することができる。
【００３２】
［第２実施形態］
つぎに、本発明の第２実施形態について説明する。なお、第１実施形態と同一の部位については同一の符号を付して説明を省略又は簡略し、主に異なる点について説明する。
図５は、第２実施形態に係る位置認証システム５０の構成を示す図である。位置認証システム５０は、図１に示す構成にタイムサーバ４０を備えたものである。
【００３３】
屋内ＧＰＳ送信機１２は、屋内位置情報を送信するが時刻情報は送信しない。一方、無線ＬＡＮアクセスポイント装置１０は、携帯端末１１の位置情報と共に、位置情報を受信した時刻を示す時刻情報も送信する。位置認証システム５０は、位置情報の認証処理の追加条件として、上記の時刻情報を利用するためにタイムサーバ４０を備えている。
【００３４】
タイムサーバ４０は、固定端末２０からの情報（固定端末２０自身の位置情報と屋内ＧＰＳ送信機１２の屋内位置情報）を受信すると、この情報と共にこの情報を受信した時刻を示す時刻情報を位置認証サーバ３０へ送信する。
【００３５】
また、位置認証サーバ３０のデータ記憶部３３には、次に示す位置対応テーブルが記憶されている。
図６は、位置対応テーブルを示す図である。位置対応テーブルは、図１に示す組み合わせに対して更に「許容時間」が対応づけられている。「許容時間」とは、位置情報の認証が認められるための追加条件として、無線ＬＡＮアクセスポイント装置１０の受信時刻と、固定端末２０の受信時刻との差が許容される時間を示している。
【００３６】
ここで、位置認証サーバ３０は、無線ＬＡＮアクセスポイント装置１０から送信された携帯端末１１の位置情報と、固定端末２０から送信された屋内ＧＰＳ送信機１２の屋内位置情報とを受信する。しかし、反射波の影響によって、各信号の受信時刻は必ずしも一致しない。また、携帯端末１１が無線通信を行うための処理に時間がかかるため、無線ＬＡＮアクセスポイント装置１０から送信される時刻情報は、遅延する傾向がある。一方で、受信時刻の差が大きい場合は、屋内ＧＰＳ送信機１２の取り付け位置が変更された可能性がある。
【００３７】
そこで、位置認証サーバ３０は、上記の各信号の受信時刻の差が「許容時間」の範囲内であれば、屋内ＧＰＳ送信機１２の位置が変更されてないものとみなして、位置情報の認証を行い、範囲内でなければ認証を行わない。
【００３８】
図７は、第２実施形態の位置認証ルーチンを示すフローチャートである。ステップＳ１４を除くステップＳ１１〜Ｓ１３、Ｓ１５〜Ｓ１６は、図４に示すステップＳ１〜Ｓ３、ステップＳ４〜Ｓ５と同じである。そこで、ステップＳ１４について説明する。
【００３９】
ステップＳ１４では、認証部３４は、無線ＬＡＮアクセスポイント装置１０から送信された時刻情報（携帯端末１１の位置情報を受信した時刻情報）と、固定端末２０から送信された時刻情報（固定端末２０が屋内位置情報を受信した時刻情報）とを比較する。認証部３４は、時刻情報の差が「許容時間」の範囲内であるときはステップＳ１５へ進んで位置情報の認証処理を行い、範囲内でないときはステップＳ１６へ進んで認証処理を行わない。
【００４０】
例えば、屋内ＧＰＳ送信機１２が時刻ｔ０，ｔ１，ｔ２・・・のタイミングで屋内位置情報を送信した場合において、固定端末２０が時刻ｔ１の屋内位置情報を受信した時刻と、無線ＬＡＮアクセスポイント装置１０が時刻ｔ０の屋内位置情報（携帯端末１１の位置情報）を受信した時刻との差が、「許容時間」の範囲内であれば、携帯端末１１の位置情報が認証される。同様の場合において、固定端末２０が時刻ｔ１の屋内位置情報を受信した時刻と、無線ＬＡＮアクセスポイント装置１０が時刻ｔ２の屋内位置情報（携帯端末１１の位置情報）を受信した時刻との差が、「許容時間」の範囲内であれば、携帯端末１１の位置情報が認証される。
【００４１】
以上のように、位置認証システム５０は、第１実施形態の処理に加えて、携帯端末１１の位置情報の受信時刻と固定端末２０の屋内位置情報の受信時刻との差が許容時間の範囲内であるかを判定し、範囲内であるときに携帯端末１１の位置情報の認証処理を行う。これにより、位置認証システム５０は、第１の実施形態よりも厳密に、屋内ＧＰＳ送信機１２が移動されずに携帯端末１１の位置情報が正しいことを認証できる。
また、例えば、ある時間に、携帯端末１１が固定端末２０の近傍に存在していたか否か、及び、その時刻において固定端末２０の位置の移動がなかったか否か等の確認をすることができる。また、固定端末２０が受信したタイミングの時刻において、屋内ＧＰＳ送信機１２の位置の移動がなかった（固定端末２０の位置から所定の範囲内にあった）ことを保証することができる。
なお、図５では、タイムサーバ４０は、固定端末２０、位置認証サーバ３０と別個に構成されているが、この構成に限定されるものではない。例えば、固定端末２０又は位置認証サーバ３０がタイムサーバ４０の機能を備えるようにし、時刻を生成するようにしてもよい。
【００４２】
［第３実施形態］
つぎに、本発明の第３実施形態について説明する。なお、第１実施形態と同一の部位については同一の符号を付して説明を省略又は簡略し、主に異なる点について説明する。
【００４３】
第３実施形態に係る位置認証システムは、図１に示すように構成されている。但し、屋内ＧＰＳ送信機１２は、第１実施形態と同様に屋内位置情報を送信するだけでなく、更に、経時的に変化する暗号情報を生成して送信する。
【００４４】
一方、携帯端末１１は、屋内ＧＰＳ送信機１２から送信された暗号情報を受信し、受信した暗号情報を、無線ＬＡＮアクセスポイント装置１０を介して、位置認証サーバ３０へ送信する。また、固定端末２０は、屋内ＧＰＳ送信機１２から送信された暗号情報を受信し、受信した暗号情報を位置認証サーバ３０へ送信する。
【００４５】
図８は、第３実施形態の位置認証ルーチンを示すフローチャートである。ステップＳ２４を除くステップＳ２１〜Ｓ２３、Ｓ２５〜Ｓ２６は、図７に示すステップＳ１１〜Ｓ１３、ステップＳ１４〜Ｓ１５と同じである。そこで、ステップＳ２４について説明する。
【００４６】
ステップＳ２４では、認証部３４は、固定端末２０を介して屋内ＧＰＳ送信機１２から送信された暗号情報と、無線ＬＡＮアクセスポイント装置１０を介して携帯端末１１から送信された暗号情報と比較する。そして、認証部３４は、暗号情報が一致するか否かを判定し、一致する場合はステップＳ２５へ進んで位置情報の認証処理を行い、一致しない場合はステップＳ２６へ進んで認証処理を行わない。
【００４７】
図９は、屋内ＧＰＳ送信機１２が送信する暗号情報を示す図である。屋内ＧＰＳ送信機１２は、時刻ｔ１０，ｔ１１，ｔ１２，・・・において、それぞれ異なる暗号情報を送信する。
例えば、屋内ＧＰＳ送信機１２から時刻ｔ１１で送信された暗号情報が、固定端末２０及び無線ＬＡＮアクセスポイント装置１０の両方で受信された場合は、暗号情報が一致するので、携帯端末１１の認証処理が行われる。一方、屋内ＧＰＳ送信機１２から時刻ｔ１１で送信された暗号情報が固定端末２０で受信され、時刻ｔ１０で送信された暗号情報が無線ＬＡＮアクセスポイント装置１０で受信された場合は、暗号情報が一致しないので、認証処理が行われない。
【００４８】
以上のように、第３実施形態に係る位置認証システム１は、第１実施形態の処理に加えて、屋内ＧＰＳ送信機１２が経時的に変化する暗号情報を送信し、無線ＬＡＮアクセスポイント装置１０及び固定端末２０が一致する暗号情報を受信した場合に、携帯端末１１の位置情報を認証する。
【００４９】
これにより、位置認証システム１は、無線ＬＡＮアクセスポイント装置１０及び固定端末２０でそれぞれ受信される信号のタイミングがほぼ完全に一致する場合は、屋内ＧＰＳ送信機１２がほとんど移動していないと考えられるので、第１及び第２の実施形態に比べてより厳密に、携帯端末１１の位置情報を認証することができる。より具体的には、固定端末２０と無線ＬＡＮアクセスポイント１０とが同じ時刻において屋内ＧＰＳ送信機１２において生成された暗号情報である場合に認証を成立させることができ、屋内ＧＰＳ送信機１２が暗号情報を送信したタイミングの１つ前や１つ後の情報とは異なることを保証することができる。
【００５０】
なお、上述した実施の形態において示した各構成部組み合わせ、処理ステップ等は一例であって、本発明の主旨から逸脱しない範囲において設計要求等に基づき種々変更可能である。
【００５１】
例えば、上述した実施形態では、位置認証サーバ３０に対して、無線ＬＡＮアクセスポイント装置１０、屋内ＧＰＳ送信機１２、固定端末２０はそれぞれ１つずつ設けられているが、無線ＬＡＮアクセスポイント装置１０、屋内ＧＰＳ送信機１２、固定端末２０はそれぞれ複数の組み合わせであってもよい。
【００５２】
また、図１における位置認証サーバ３０の機能を実現するためのプログラムをコンピュータ読み取り可能な記録媒体に記録して、この記録媒体に記録されたプログラムをコンピュータシステムに読み込ませ、実行することにより認証処理を行ってもよい。なお、ここでいう「コンピュータシステム」とは、ＯＳや周辺機器等のハードウェアを含むものとする。
【００５３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００５４】
以上、この発明の実施形態について図面を参照して詳述してきたが、具体的な構成はこの実施形態に限られるものではなく、この発明の要旨を逸脱しない範囲の設計等も含まれる。
【符号の説明】
【００５５】
１，５０…位置認証システム、  １０…無線ＬＡＮアクセスポイント装置、  １１…携帯端末、  １２…屋内ＧＰＳ送信機、  ２０…固定端末、  ３０…位置認証サーバ、  ３１…送受信部、  ３２…メモリ、  ３３…データ記憶部、  ４０…タイムサーバ
【図１】
0005839283.tif 000002
【図２】
0005839283.tif 000003
【図３】
0005839283.tif 000004
【図４】
0005839283.tif 000005
【図５】
0005839283.tif 000006
【図６】
0005839283.tif 000007
【図７】
0005839283.tif 000008
【図８】
0005839283.tif 000009
【図９】
0005839283.tif 000010